(57)【特許請求の範囲】
【請求項１】
貼着と剥離とを所定の回数繰り返すことができる封入部であって、強粘着剤と樹脂製フィルムと剥離可能再貼着不能粘着層と樹脂製フィルムと強粘着剤と離型紙とが順次積層され、強粘着剤の紙に対する粘着強度が樹脂製フィルムに対する粘着強度よりも強く、剥離可能再貼着不能粘着層の樹脂製フィルムに対する粘着強度が強粘着剤の樹脂製フィルムに対する粘着強度よりも弱い貼着部を所定の数有する封入部を備えた送付媒体によって文書または物品を前記所定の回数送付する送受方法において、
前記送付媒体に文書または物品を封入する第１の段階と、
送付先に送付媒体を送る第２の段階と、
送付媒体を受け取った者が送付媒体を開封する第３の段階とを含み、
前記第１の段階と、前記第２の段階と、前記第３の段階とを前記所定の回数繰り返す  ことを特徴とする文書や物品の送受方法。
【請求項２】
送付媒体には、血液を保存するキットと、問診事項が記載され利用者に問診に対する回答を記録される生活問診シートとを封入する請求項１記載の文書や物品の送受方法。
【請求項３】
送付媒体に最初にキットと生活問診シートとを封入した後に、前記キットおよび生活問診シートを封入した送付媒体に放射線を照射してキットの滅菌処理を行う請求項２記載の文書や物品の送受方法。
【請求項４】
文書や物品を送付する送付媒体であって、
送付する文書または物品を納める格納部と、
貼着と剥離とを所定の回数繰り返すことができる封入部であって、強粘着剤と樹脂製フィルムと剥離可能再貼着不能粘着層と樹脂製フィルムと強粘着剤と離型紙とが順次積層され、強粘着剤の紙に対する粘着強度が樹脂製フィルムに対する粘着強度よりも強く、剥離可能再貼着不能粘着層の樹脂製フィルムに対する粘着強度が強粘着剤の樹脂製フィルムに対する粘着強度よりも弱い貼着部を所定の数有する封入部とを備えた  ことを特徴とする文書や物品の送付媒体。
【請求項５】
封入部は、剥離可能であって再貼着不可能に貼着させる貼着部を所定の数だけ備えることにより、貼着と剥離とを所定の回数繰り返すことを可能とする請求項４記載の文書や物品の送付媒体。
【請求項６】
封入部は、剥離可能であって再貼着不可能に貼着させる貼着部を２箇所備えることにより、貼着と剥離とを２回繰り返すことを可能とする請求項５記載の文書や物品の送付媒体。
【請求項７】
封入部は、剥離可能であって再貼着不可能に貼着させる貼着部を３箇所備えることにより、貼着と剥離とを３回繰り返すことを可能とする請求項５記載の文書や物品の送付媒体。
【発明の詳細な説明】
【０００１】
【発明の属する技術分野】
本発明は、文書や物品の送受方法および送付媒体に関し、特に、送付過程における秘匿状態の維持を証明することができる送受方法および送付媒体に関する。
【０００２】
【従来の技術】
従来から、文書や物品を相手先に送り届ける場合、郵便等によって送付している。特に、秘匿する必要性が高い文書等を送り、送付過程で秘匿状態が保たれていることを証明する必要があるときには書留郵便等で送付する。書留郵便では、郵便物を送る時に配達証の控えを作成し、郵便物を届けた時に受領者から受領者を特定する印または署名を得る。このように発送者および受領者を確認し、発送者から郵便物を引き取ってから受領者に配達するまでの記録をすることで、郵送過程で秘匿状態が保たれていることが証明される。すなわち、第三者によって文書や物品の内容を見られたり、状態を変化させられたりしていないことが証明される。
【０００３】
また、受領者が受け取った文書や物品に処理を施し、その文書等をさらに送付する場合がある。例えば、受け取った文書等を確認し、必要な修正や再送物の追加、入れ換えを行って、発送者に返送したり次の者に送ったりする場合がある。この場合には、再び書留郵便等で送付する。
【０００４】
受領者が受け取った文書等を返送したり、次の者へ送付するときには、新たな封筒の調達や宛名書き等の作業が必要となる。受領者は、新たな封筒に宛名を記入し、この封筒で文書等を送付する。受領者が文書等をさらに送付するときの作業を簡単にするために、最初に発送者が返信用封筒や返信先の宛名が記載されたシールを文書等に同封する場合もある。返信用封筒や返信用宛名シールが同封されていれば、受領者は新たな封筒を調達したり、宛名を書く必要がなくなる。また、関係のない文書と再度送付される文書が混同することがなくなるという利点もある。
【０００５】
【発明が解決しようとする課題】
書留郵便等によって送付過程での秘匿状態を証明する場合、配達証や受領印を押した伝票等は１回の送付における秘匿状態を証明するのみである。したがって、発送者が受領者に文書等を送付し、受領者が文書等に処理を施して再度送付する場合には、発送者および受領者はそれぞれ書留郵便等で送らなければならない。
【０００６】
また、文書や物品の送付に用いられた封筒は、通常再利用できない。そのため、受領者は文書等をさらに送付するときに、新しい封筒の用意や宛名の記入等の作業を行う。あるいは前述のように、最初に発送者が返信用封筒や宛名シールを文書等に同封する。返信用封筒や宛名シールが同封されているならば、封筒の用意や宛名の記入等の作業負担は軽減され、他の文書との混同を防止するという利点がある。しかし、返信用封筒や宛名シールそのものは、送付過程での秘匿状態を証明するものではない。
【０００７】
本発明は、秘匿する必要性が高い文書や物品を複数回送受する場合に、送付過程での秘匿状態の維持を証明することができる文書や物品の送受方法および送付媒体を提供することを目的とする。
【０００８】
【課題を解決するための手段】
本発明による文書や物品の送受方法は、貼着と剥離とを所定の回数繰り返すことができる封入部であって、強粘着剤と樹脂製フィルムと剥離可能再貼着不能粘着層と樹脂製フィルムと強粘着剤と離型紙とが順次積層され、強粘着剤の紙に対する粘着強度が樹脂製フィルムに対する粘着強度よりも強く、剥離可能再貼着不能粘着層の樹脂製フィルムに対する粘着強度が強粘着剤の樹脂製フィルムに対する粘着強度よりも弱い貼着部を所定の数有する封入部を備えた送付媒体によって文書または物品を前記所定の回数送付する送受方法において、前記送付媒体に文書または物品を封入する第１の段階と、送付先に送付媒体を送る第２の段階と、送付媒体を受け取った者が送付媒体を開封する第３の段階とを含み、前記第１の段階と、前記第２の段階と、前記第３の段階とを前記所定の回数繰り返すことを特徴とする。
【０００９】
送付媒体には、例えば、血液を保存するキットと、問診事項が記載され利用者に問診に対する回答を記録される生活問診シートとを封入する。このような送受方法によれば、血液および問診事項に基づいて健康に関するアドバイスを行う場合に、キットおよび生活問診シートの送付過程において、回答内容の秘匿状態や血液の状態が保たれていたことを証明することができる。
【００１０】
また、送付媒体に最初にキットと生活問診シートとを封入した後に、前記キットおよび生活問診シートを封入した送付媒体に放射線を照射してキットの滅菌処理を行うことが好ましい。
【００１１】
また、本発明による文書や物品の送付媒体は、送付する文書または物品を納める格納部と、貼着と剥離とを所定の回数繰り返すことができる封入部であって、強粘着剤と樹脂製フィルムと剥離可能再貼着不能粘着層と樹脂製フィルムと強粘着剤と離型紙とが順次積層され、強粘着剤の紙に対する粘着強度が樹脂製フィルムに対する粘着強度よりも強く、剥離可能再貼着不能粘着層の樹脂製フィルムに対する粘着強度が強粘着剤の樹脂製フィルムに対する粘着強度よりも弱い貼着部を所定の数有する封入部とを備えたことを特徴とする。
【００１２】
封入部は、例えば、剥離可能であって再貼着不可能に貼着させる貼着部を所定の数だけ備えることにより、貼着と剥離とを所定の回数繰り返すことを可能とする。例えば、剥離可能であって再貼着不可能に貼着させる貼着部を２箇所または３箇所備えることにより、貼着と剥離とを２回または３回繰り返すことを可能とする。
【００１３】
【発明の実施の形態】
以下、本発明の実施の形態を図面を参照して説明する。
図１は、本発明による文書や物品の送付媒体の実施の一形態を示す説明図であり、文書や物品を送付する封筒の背面を示す。封筒１は、文書や物品を納める格納部２と、文書や物品を封入する封入部３とを備える。封入部３は、封入部３を剥離可能であって再貼着不可能に貼着させる第一の貼着部４ａおよび第二の貼着部４ｂを備える。すなわち、封入部３は貼着部を２箇所備える。各貼着部４ａ，４ｂは、離型紙によって保護される。
【００１４】
文書等を封入する場合には、封入部３から文書等が入れられ、格納部２に納められる。その後、貼着部４ａ，４ｂのいずれか一方の離型紙が剥がされ、貼着部４ａ，４ｂを備えた部分が背面方向に折り曲げられる。そして、貼着部が背面に貼着して文書等は封入される。封入部３が剥離されると、離型紙の剥がされた貼着部は再貼着不可能となる。再度、文書等を封入する場合には、もう一方の貼着部の離型紙が剥がされ、封筒の背面に貼着される。再度封入部３が剥離されると、２箇所の貼着部はともに再貼着不可能となる。したがって、封入部は貼着と剥離を２回繰り返すことができる。なお、貼着部４ａ，４ｂは、折り曲げられる部分でなく、封筒の背面側に設けられていてもよい。
【００１５】
図２は、貼着部の断面図である。ここでは第一の貼着部４ａを例に説明するが、第二の貼着部４ｂの断面図も図２と同様である。第一の貼着部４ａは、図２に示すように、封入部３において強粘着剤５が塗布されており、強粘着剤５上には、樹脂製のフィルム６、剥離可能再貼着不能粘着層７、樹脂製のフィルム８、強粘着剤９、離型紙１０が順次積層されている。強粘着剤５，９は、例えばアクリル酸エステル（共）重合体：酢酸ビニル（共）重合体、ゴム系粘着剤等であって、紙に対する粘着強度がフィルム６，８に対する粘着強度よりも強い特性を有している。剥離可能再貼着不能貼着層７はホットメルト系接着剤であり、一旦剥がすと常温で再貼着不可能であり、フィルム６，８に対する粘着強度が強粘着剤５，９のフィルム６，８に対する粘着強度よりも弱い特性を有している。
【００１６】
離型紙１０が剥がされた後、強粘着剤９が封筒の背面に貼着される。この状態から封入部３を開封しようとすると、強粘着剤９とフィルム８が一体化した状態で、剥離可能再貼着不能粘着層７から剥離する。すなわち、封筒の背面に強粘着剤９とフィルム８の層が貼着し、貼着部には強粘着剤５から剥離可能再貼着不能粘着層７までの層が残ることになる。フィルム８と剥離可能再貼着不能粘着層７は剥離後に再貼着しないので、開封後に同じ貼着部によって封入部３を閉じることはできない。
【００１７】
図３は、本発明による送付媒体の他の実施の形態を示す説明図であり、封筒を示す。図３に示す封筒１１は、中心線１２で二つ折りにされ、接触する縁の部分を貼着することにより格納部１３を形成する。すなわち、貼着される縁が文書等を封入する封入部となり、中心線部分と縁に囲まれる格納部１３が文書等を納める。縁は、図３に示すように、縁を剥離可能であって再貼着不可能に貼着させる第一の貼着部１４ａおよび第二の貼着部１４ｂを備える。各貼着部１４ａ，１４ｂの断面図は、図２に示した場合と同様であり、それぞれ離型紙によって保護される。
【００１８】
図３に示す封筒においても、一方の貼着部の離型紙を剥がして貼着および剥離を行った後に、もう一方の離型紙を剥がして貼着および剥離を行うことができる。したがって、図３に示す封筒も貼着と剥離を２回繰り返すことができる。
【００１９】
なお、封筒１の表面、二つ折りした封筒１１の外側の面には、文書等の送付先の宛名が記載されたり、宛名が記載されたシールが貼られる。
【００２０】
図１，３に例示する封筒を用いれば、文書や物品を２回送付する場合に、各送付過程で文書等の秘匿状態が保たれていたことを証明することができる。この封筒を用いて、秘匿状態の維持を証明できるように文書等を送受する方法については後述する。
【００２１】
図１，３に示す封筒は、剥離可能であって再貼着不可能に貼着させる貼着部を２箇所備えているが、３箇所以上備えていてもよい。貼着部を３箇所備えていれば貼着と剥離を３回繰り返すことができ、貼着部を４箇所備えていれば貼着と剥離を４回繰り返すことができる。
【００２２】
本発明による送付媒体は封筒に限定されない。送付媒体は、例えば箱であってもよい。送付媒体が箱である場合、箱本体とふたとの接触部分は、貼着部を所定の数備えた構成である。この貼着部により、貼着と剥離とを所定の回数繰り返すことができる。
【００２３】
上記のような封筒を用いて、送付過程での秘匿状態の維持を証明できるように文書や物品を送受する方法について説明する。
【００２４】
まず、健康に関するアドバイスを受ける利用者とアドバイス提供者とが物品等を送受する場合を例に説明する。アドバイス提供者は、血液を保存するキットや生活問診シート等を封筒に入れ、利用者に送付する。生活問診シートは利用者の生活等に関する問診事項が記載されたシートであり、利用者は送付されたシートに問診の回答を記入する。また、利用者はキットに自分の血液を保存し、キットと生活問診シートをアドバイス提供者に返送する。アドバイス提供者は、返送されたキット内の血液および問診事項の回答に基づき、利用者の健康状態を判断してアドバイスを行う。なお、キットは数滴の血液を保存する小型の容器であり、封筒に入れられる大きさである。
【００２５】
キットは、利用者の健康状態を示す血液を保存するので、滅菌された状態を保ったまま送付されなければならない。また、生活問診シートは、利用者の情報が記載されているので、第三者に見られてはならない。図４は、キットの状態を変化させられたり、生活問診シートが見られなかったことを証明できるように、キット等を送受する例を示す説明図である。この送受方法に用いる封筒は、貼着と剥離とを２回繰り返すことができる封入部を備えているものとする。以下の説明では、図１に示す封筒１を用いる場合を例に説明する。
【００２６】
アドバイス提供者は、封筒１にキット、生活問診シート、およびアドバイス提供者の宛名が記載された宛名シールを入れ、貼着部４ａ，４ｂのいずれか一方のみの離型紙を剥がして封入部３を閉じる（ステップＳ５０）。以下の説明では、ステップＳ５０において第一の貼着部４ａの離型紙を剥がしたこととする。ステップＳ５０で、封入部３は１回目の貼着を行う。続いて、封筒１に放射線を照射し、封筒内のキットに対して滅菌処理を行う（ステップＳ５１）。ステップＳ５１では、例えば、コバルト６０によって放射線照射を行う。アドバイス提供者は、図５（ａ）に示すように滅菌済みの封筒１に利用者の宛名が記載された宛名シール２１を貼り、利用者に送付する（ステップＳ５２）。なお、宛名シールは、そのままの状態では剥がれないが、剥がそうと力を加えることによって封筒を損なわずに剥がすことができるシールである。
【００２７】
利用者は封筒１を開封し、キット、生活問診シート、アドバイス提供者の宛名が記載された宛名シールを取り出す（ステップＳ５３）。ステップＳ５３で、封入部３は１回目の剥離を行う。
【００２８】
開封時に封入部３が第一の貼着部４ａによって貼着され、かつ第二の貼着部４ｂが離型紙に保護されていたならば、送付過程で秘匿状態が維持されていたことの証明になる。送付過程において第三者が開封したとすると、封入部３が再び第一の貼着部４ａによって貼着されることはないからである。ステップＳ５３において利用者が開封したときに、第二の貼着部４ｂ等の貼着部４ａ以外の手段によって封入部３が閉じられていたならば、第三者が一度開封していたことになる。このように、一方の貼着部（第一の貼着部４ａ）によって閉じられ、他方の貼着部（第二の貼着部４ｂ）は未使用であることを確認して、秘匿状態が保たれていたことを確認できる。
【００２９】
利用者は、秘匿状態が維持されていたことを確認したならば、キットに自分の血液を保存し、生活問診シートに回答を記入する。続いて、利用者はキットと生活問診シートを送付された封筒１に入れ、第二の貼着部４ｂの離型紙を剥がして封入部３を閉じる（ステップＳ５４）。ステップＳ５４で、封入部３は２回目の貼着を行う。また、利用者の宛名が記載された宛名シール２１を封筒１から剥がし、図５（ｂ）に示すようにアドバイス提供者の宛名が記載された宛名シール２２を貼る。その後、閉じた封筒１をアドバイス提供者に送付する（ステップＳ５５）。
【００３０】
アドバイス提供者は封筒１を開封し、血液を保存するキットおよび回答が記入された生活問診シートを取り出す（ステップＳ５６）。ステップＳ５６で、封入部３は、２回目の剥離を行う。
【００３１】
開封するときに、第二の貼着部４ｂによって貼着されていたならば、ステップＳ５５で秘匿状態が維持されていたことの証明になる。ステップＳ５５において第三者が開封したならば、第二の貼着部４ｂは再貼着しないからである。ステップＳ５６で開封しようとしたときに既に開封状態であったり、封入部３が貼着部４ｂ以外の手段によって閉じられていたならば、ステップＳ５５で第三者が開封したことになる。
【００３２】
アドバイス提供者は、秘匿状態が維持されていたことを確認したならば、キット中の血液および生活問診シートの回答に基づきアドバイスを作成し（ステップＳ５７）、利用者にアドバイスを行う。
【００３３】
なお、上記の例では、封筒１に宛名シールを貼ることによって封筒に宛名が付加される。封筒に宛名を付加する方法は、この方法に限定されるものではない。例えば、予め封筒にアドバイス提供者の宛名を記載しておき、ステップＳ５２では、図６（ａ）に示すように、この宛名の上に利用者の宛名を記載した宛名シール２１を貼ってもよい。宛名シールを剥がせば、図６（ｂ）に示すようにアドバイス提供者の宛名が現れる。したがって、ステップＳ５５では利用者は宛名シール２１を剥がして封筒を送ればよい。
【００３４】
あるいは、図７（ａ），（ｂ）に示すように、キットや生活問診シートを入れた封筒１を利用者やアドバイス提供者の住所を記載した他の封筒に入れて送ってもよい。
【００３５】
また、ステップＳ５２において郵送等により封筒１を送付するのでなく、アドバイス提供者の宛名が記載された封筒１を直接利用者に配布してもよい。例えば、健康アドバイスを受けたい旨を申し込んだ利用者に対して、予めアドバイス提供者の宛名が記載された滅菌済みの封筒１を直接渡してもよい。
【００３６】
上記の例では、血液を保存するキット等を送受する場合を示したが、封筒に入れられる文書や物品、あるいは封筒の用途は上記の例に限定されない。例えば、アドバイス提供者は検便用のキットを送受して、検便により健康に関するアドバイスを行ってもよい。
【００３７】
図８は、本発明による封筒を用いて文書等を送受する場合の他の例を示す説明図である。図８は、甲が乙に書類（例えば、契約書や承認書等の重要書類）を送り、乙が捺印して甲に返送するときに、送付過程での秘匿状態を証明する例である。この封筒も、貼着と剥離とを２回繰り返すことができる封入部を備えているものとする。
【００３８】
甲は、封筒１に書類と甲の宛名が記載された宛名シールを入れ、貼着部４ａ，４ｂのいずれか一方のみの離型紙を剥がして封入部３を閉じる（ステップＳ６０）。以下の説明では、ステップＳ６０において第一の貼着部４ａの離型紙を剥がしたこととする。ステップＳ６０で、封入部３は１回目の貼着を行う。甲は、封筒１に乙の宛名が記載された宛名シールを貼り、乙に送付する（ステップＳ６１）。乙は封筒１を開封し、書類と甲の宛名が記載された宛名シールを取り出す（ステップＳ６２）。このとき封入部３は１回目の剥離を行う。
【００３９】
乙は、ステップＳ６２において、送付過程で書類の秘匿状態が保たれていたか否かを確認することができる。ステップＳ５３の場合と同様に、開封時に封入部３が第一の貼着部４ａによって貼着され、かつ第二の貼着部４ｂが離型紙に保護されていたならば、秘匿状態は維持されていたことになる。
【００４０】
秘匿状態が保たれていたことを確認した乙は、書類を確認のうえ捺印する。続いて、乙は捺印した書類を封筒１に入れ、第二の貼着部４ｂの離型紙を剥がして封入部３を閉じる（ステップＳ６３）。このとき封入部３は２回目の貼着を行う。
【００４１】
乙は、乙の宛名が記載された宛名シールを封筒１から剥がし、甲の宛名が記載された宛名シートを貼り、封筒１を甲に送付する（ステップＳ６４）。甲は封筒１を開封し、捺印された書類を確認する（ステップＳ６５）。このとき封入部３は２回目の剥離を行う。
【００４２】
このとき甲は、送付過程で秘匿状態が維持されていたか否かを確認することができる。開封時に第二の貼着部４ｂによって貼着されていたならば、ステップＳ６４で秘匿状態が維持されていたことの証明となる。一方、ステップＳ６５で開封しようとしたときに既に開封状態であったり、封入部３が貼着部４ｂ以外の手段によって閉じられていたならばステップＳ６４で第三者が開封したことになる。
【００４３】
以上のように封筒１を用いることによって、契約書や承認書等の重要書類を送付し、押印後に返送してもらう場合に、各送付過程での秘匿状態の維持を証明することができる。
【００４４】
本発明による封筒は、最初に封筒を受け取った受領者が発送者に封筒を返送する場合だけでなく、他の者に送る場合にも使用できる。例えば、甲が乙に書類を送付し、乙が書類に捺印して丙に送る場合にも、本発明による封筒を用いることによって甲乙間および乙丙間の送付過程で秘匿状態が維持されていたことを確認できる。
【００４５】
以上のように、貼着と剥離を２回繰り返すことができる封筒を用いれば、２回の送付過程での秘匿状態を証明することができる。貼着と剥離を繰り返せる回数を３回、４回、・・・と変えていけば、送付回数が３回、４回、・・・と増えた場合であっても秘匿状態を証明できる。以下、３回の送付過程における秘匿状態を証明する場合の例について説明する。
【００４６】
図９は、図４と同様にアドバイス提供者と利用者がキット等を送受する例を示す。ただし、アドバイス提供者は利用者から送付された血液を衛生検査所に再度送付するものとする。図１０は、貼着と剥離を３回繰り返せる封入部を備えた封筒を示す。封入部３は、第一の貼着部４ａ、第二の貼着部４ｂ、第三の貼着部４ｃを備える。貼着部４ａ〜４ｃは、図２に示す場合と同様に、強粘着剤５、樹脂製のフィルム６、剥離可能再貼着不能粘着層７、樹脂製のフィルム８、強粘着剤９、離型紙１０が順次積層された構造となっている。
【００４７】
ステップＳ７０〜Ｓ７２の動作は、図４に示すステップＳ５０〜Ｓ５２の動作と同様である。ステップＳ７３において、利用者は封筒１を開封し、キット等を取り出す。
【００４８】
ステップＳ７３で開封する時に、封入部３が第一の貼着部４ａによって貼着され、第二の貼着部４ｂおよび第三の貼着部４ｃが離型紙に保護されていたならば、送付過程で秘匿状態が維持されていたことになる。また、貼着部４ｂ，４ｃ等の貼着部４ａ以外の手段によって封入部３が閉じられていたならば、第三者が一度開封していたことになる。このように一つの貼着部（第一の貼着部４ａ）によって閉じられ、他の貼着部（第二の貼着部４ｂおよび第三の貼着部４ｃ）は未使用であることを確認して、秘匿状態が保たれていたことを確認できる。
【００４９】
続いて、利用者は、血液を保存したキット等を封筒に入れ、第二の貼着部４ｂの離型紙を剥がして封入部３を閉じる（ステップＳ７４）。ステップＳ７４で、封入部３は２回目の貼着を行う。続いて、利用者はステップＳ５５と同様に封筒１を送付する（ステップＳ７５）。
【００５０】
アドバイス提供者は封筒１を開封し、生活問診シートを取り出す（ステップＳ７６）。このとき封入部３は２回目の剥離を行う。ステップＳ７６で開封する時に、封入部３が第二の貼着部４ｂによって貼着され、第三の貼着部４ｃが離型紙に保護されていたならば、送付過程で秘匿状態が維持されていたことになる。また、貼着部４ｃ等の貼着部４ｂ以外の手段によって封入部３が閉じられていたならば、第三者が一度開封していたことになる。このように一つの貼着部（第二の貼着部４ｂ）によって閉じられ、他の貼着部（第三の貼着部４ｃ）は未使用であることを確認して、秘匿状態が保たれていたことを確認できる。
【００５１】
アドバイス提供者は、血液を保存したキットはそのまま封筒１に入れ、第三の貼着部４ｃの離型紙を剥がして封入部３を閉じる（ステップＳ７７）。このとき封入部３は３回目の貼着を行う。続いて、アドバイス提供者は、ステップＳ７７で閉じた封筒１を衛生検査所に送付する（ステップＳ７８）。宛名を封筒に付加する場合には、例えば、衛生検査所の宛名を記載した宛名シールを封筒１に貼ればよい。
【００５２】
衛生検査所は封筒１を開封し、血液を保存するキットを取り出す（ステップＳ７９）。このとき封入部３は３回目の剥離を行う。衛生検査所が開封する時に、第三の貼着部４ｃによって貼着されていたならば、ステップＳ７８で秘匿状態が維持されていたことの証明になる。開封しようとしたときに既に開封状態であったり、貼着部４ｃ以外の手段によって閉じられていたならば、ステップＳ７８で第三者が開封したことになる。
【００５３】
衛生検査所は、秘匿状態が維持されていたことを確認したならば、キット中の血液の成分を検査し（ステップＳ８０）、アドバイス提供者は検査結果および生活問診シートの回答に基づいて利用者にアドバイスを行う。
【００５４】
このように貼着と剥離とを３回だけ繰り返せる封入部３を備えた封筒を用いれば、３回の送付過程で秘匿状態が維持されていたことを証明することができる。図１０に例示する封筒は、血液を保存するキット等の送付のみではなく、他の文書等の送付にも用いることができる。例えば、通信教育において、添削者が受講者に問題を送付し（１回目の送付）、受講者が添削者に回答を送付し（２回目の送付）、添削者が受講者に採点結果を送付（３回目の送付）する場合にも用いることができる。受講者や添削者が封筒を受け取って封筒を開封するときに、封入部３の状況を確認することで、図９に示す場合と同様に秘匿状態が維持されていたか否かを確認できる。
【００５５】
上記の各実施例では、封筒を用いて文書や物品を送付する場合を説明した。文書等を送付する媒体は封筒に限定されない。例えば、箱に文書や物品を納めて送受を行ってもよい。箱本体とふたとの接触部分に図２に示す貼着部を所定の数設けることによって、封筒の場合と同様に送付過程での秘匿状態が保たれていたことを証明することができる。
【００５６】
また、貼着部において、封入部３の上に、強粘着剤５及びフィルム６を介して剥離可能再貼着不能粘着層７を形成したが、封入部３上に直接剥離可能再貼着不能粘着層７を形成しても同様の作用効果を奏することが可能である。
【００５７】
文書等を送付する回数がより多い場合には、送付回数と同じ回数だけ閉じて開封することができる送付媒体を用いることにより、秘匿状態の維持を証明することができる。
【００５８】
また、封筒を送付する場合には、郵送で送付するのではなく、宅配便等によって送付してもよい。
【００５９】
【発明の効果】
本発明によれば、貼着と剥離とを所定の回数繰り返すことができる封入部であって、強粘着剤と樹脂製フィルムと剥離可能再貼着不能粘着層と樹脂製フィルムと強粘着剤と離型紙とが順次積層され、強粘着剤の紙に対する粘着強度が樹脂製フィルムに対する粘着強度よりも強く、剥離可能再貼着不能粘着層の樹脂製フィルムに対する粘着強度が強粘着剤の樹脂製フィルムに対する粘着強度よりも弱い貼着部を所定の数有する封入部を備えた送付媒体に文書または物品を封入する第１の段階と、送付先に送付媒体を送る第２の段階と、送付媒体を受け取った者が送付媒体を開封する第３の段階とを含み、第１の段階と、第２の段階と、第３の段階とを所定の回数繰り返す。したがって、送付媒体を受け取って開封する時に封入部の状況を確認することによって、送付過程での秘匿状態の維持を証明することができる。また、本発明による送付媒体は、このように秘匿状態の維持を証明する文書や物品の送受方法に適用することができる。
【図面の簡単な説明】
【図１】  本発明による文書や物品の送付媒体の実施の一形態を示す説明図である。
【図２】  貼着部の断面図である。
【図３】  本発明による送付媒体の他の実施の形態を示す説明図である。
【図４】  文書等を２回送受する例を示す説明図である。
【図５】  送付媒体に宛名を付加する例を示す説明図である。
【図６】  送付媒体に宛名を付加する例を示す説明図である。
【図７】  送付媒体に宛名を付加する例を示す説明図である。
【図８】  文書等を２回送受する例を示す説明図である。
【図９】  文書等を３回送受する例を示す説明図である。
【図１０】  本発明による送付媒体の他の実施の形態を示す説明図である。
【符号の説明】
１  封筒
２  格納部
３  封入部
４ａ，４ｂ  貼着部
５  強粘着剤
６  フィルム
７  剥離可能再貼着不能粘着層
８  フィルム
９  強粘着剤
１０  離型紙
【図１】
0003898888.tif 000002
【図２】
0003898888.tif 000003
【図３】
0003898888.tif 000004
【図４】
0003898888.tif 000005
【図５】
0003898888.tif 000006
【図６】
0003898888.tif 000007
【図７】
0003898888.tif 000008
【図８】
0003898888.tif 000009
【図９】
0003898888.tif 000010
【図１０】
0003898888.tif 000011